(57)【要約】【課題】箱型ティッシュペーパーの、箱の高さが異なる場合でも、確実に保管可能で、ティッシュペーパーを取り出し易い様に、常に箱を上部寄りの位置に保持するケースを提起する。【解決手段】下面開放のティッシュケースの側壁下端に、ヒンジを介して支持片を装置し、その支持片をケースの内側に向け、さらに水平より上側に曲げた状態で、ティッシュボックスを保持する。【選択図】図３
2007289597.tif 000002
【特許請求の範囲】
【請求項１】
略直方体の箱状物を収納可能な下面開放の樹脂製ケースの側壁部の下部に、ヒンジを介して揺動可能に構成した支持片を装置する箱物収納用ケースにおいて、下記のいずれかの特徴を有する事で、厚さや高さが異なる箱状物を、常にケースの上部近傍に保持可能に構成した、ティッシュボックスケース。
１，ケース本体と、支持片と、ヒンジ部分は、樹脂で一体成形され、ヒンジ部分は支持片よりも厚さが薄くなる様に構成した。
２，ケース本体と、支持片と、ヒンジ部分は、樹脂で一体成形され、ヒンジ部分は支持片よりも幅が狭く構成する。または、支持片よりも幅が狭いヒンジを複数装置した。
３，ヒンジ部分の長さ、即ち、ケース本体と支持片との間隔は、ケース側壁の厚さと支持片の厚さを合計した寸法と比較して同等以上とする事で、支持片を、ケースの真下から内側に向けて９０度以上の角度まで曲げる事が可能に構成した。
４，ケース本体の上面に、ティッシュペーパー取り出し用の貫通孔を設けた。
【請求項２】
以下のいずれかの特徴を有する、請求項１に記載のティッシュボックスケース。
１，支持片は、ケース本体側壁の相対する側壁の下部に１対または２対装置され、相対するケース本体側壁の壁間距離は、収納する箱状物の寸法より大きく、かつ、収納する箱状物の寸法と支持片の長さを合計した寸法よりも小さく構成した。
２，ケース本体の上面に設けられたティッシュペーパー取り出し用の貫通穴は、長方形、長円形、または楕円形とした。
３，支持片の、ヒンジと反対側端部に、ゴム又は、軟質樹脂材料の滑り止めを設けた。
４，支持片の、ヒンジと反対側端部を、鋸形状、凹凸面、鋭利な突起または、粗面とした。
５，支持片をケース本体の内側に向けて折り曲げた時、ケース本体の側壁内面に相対する支持片の表面に、リブ又は突起を設けた。
６，支持片を板バネ状の弾性体とした。
７，ケース本体、支持片、ヒンジを樹脂にて一体成形し、支持片は、外力が加わらない状態では、水平よりも下向きの位置で静止する様に成形した。
【請求項３】
略直方体の箱状物を収納可能な下面開放の樹脂製ケースにおいて、下記のいずれかの構成により、箱状物をケース内の所定の高さで保持可能に装置した事を特徴とするティッシュボックスケース。
１，ケース本体側壁の、相対する側壁の下部に、１対または２対の支持片を装置し、相対する支持片を、それぞれ内側に向けて水平になるまで曲げた時、相対する支持片の先端と先端の間隔は、市販のティッシュボックスよりも狭く構成した。具体的には、長辺側の間隔を２４５ｍｍ以下とし、短辺側の間隔を１２０ｍｍ以下とした。
２，ケース本体側壁の相対する側壁に、１対または２対の貫通穴を設け、この穴に、ピン形状、板状または、これに類する形状の支持片を差し込む事で、所定の機能を確保する構成とした。
３，上記２に記載の貫通穴を、縦長形状とした。
４，上記２または３に記載の支持片は、ケース本体と一体成形で製造し、使用時にケース本体から切り離して使用する構成とした。具体的には、支持片の厚さや幅と比較して極端に細い、すなわち断面積の極端に小さい連結部分で、ケース本体と支持片とを連結した状態で一体成形する事で、切り離しを容易にする。
【発明の詳細な説明】
【技術分野】
【０００１】本発明は主として、市場で市販され、最も流通量の多い、箱入りのティッシュペーパーを収納するケースに関する。
【背景技術】
【０００２】箱入りのティッシュペーパーを収納し、箱の破損や汚損を防ぐ為の樹脂製カバーは市販されている。しかし、最近市場での流通量が増えた、薄型の箱入りティッシュには対応できなかった。
【発明の開示】
【発明が解決しようとしている課題】
【０００３】箱入りティッシュペーパーの、箱の高さが異なる場合でも、確実に保管可能で、ティッシュペーパーを取り出し易い様に、常に箱を上部寄りの位置に保管する必要が有る。
【課題を解決する為の手段】
【０００４】下面開放のティッシュケースの側壁下端に、ヒンジを介して支持片を装置し、その支持片をケースの内側に向け、さらに水平より上側に曲げた状態で、ティッシュボックスを保持する。
【発明の効果】
【０００５】本発明品によれば、樹脂で一体成形が可能な極めて簡単な構成でありながら、支持片がティッシュボックスの側面を保持し、ティッシュボックスの自重によって支持片がティッシュボックスの側面に食い込む作用をする為、確実に保持する事ができる。
また、ティッシュボックスの側面を保持する構造により、箱の厚さや高さには一切関係なく、常にティッシュボックスを取り出しやすい最上部に保持する事ができる。
【発明を実施するための最良の形態】
【０００６】下面開放のティッシュボックスケースの側壁下端に、ヒンジを介して支持片を装置し、その支持片をケースの内側に向け、さらに水平より上側に曲げた状態で、ティッシュボックスを保持する。また、支持片の先端で、ティッシュボックスと接触する部分に、ゴム等の高摩擦係数部材を装置する事で、さらに確実にティッシュボックスを保持できる。
【実施例】
【０００７】図１は、本発明品の斜視図である。略直方体で下面開放の樹脂成形品であるティッシュボックスケース本体１の、相対する側壁の下部に、ヒンジ３を介して一対の支持片２を装置する。【０００８】図２は、本発明品の断面図であり、ティッシュボックスケースの本体１と、ヒンジ３と、支持片２を、樹脂にて一体成形した状態を示す。
ヒンジ３は、ティッシュボックスケース１と、支持片２の厚さを考慮し、所定の長さに設定する事で、支持片が内側に大きく曲がる事を妨げない構造とする。
図３は、本発明品の断面図であり、支持片２を内側に曲げ、市販の箱型ティッシュペーパー５を保持持した状態を指す。この時、支持片２は、下側から挿入された、箱型ティッシュペーパー５との摩擦により、図３の通り、水平よりも上向きまで折り曲げられる。【０００９】以上の様に構成する事により、箱型ティッシュペーパー５が、その自重によって下方に下がろうとすると、支持片２が、箱型ティッシュペーパー５の側壁に食い込む様に作用する為、箱型ティッシュペーパー５を、所定の高さに保持する事が可能となる。
尚、図３の６は、支持片２に設けられたリブであり、支持片が一定以上に曲がり過ぎる事を防ぐ為に装置する。【００１０】図１から図４で、４は本発明品のティッシュボックスケースの上面に設けられた、ティッシュペーパー取り出し用の貫通穴である。
前述の通り、本発明品の構成によれば、極めて製造が容易な構造でありながら、箱型ティッシュペーパー５の厚さに関係無く、常に箱の上面が、ティッシュボックスケースの本体１の上面裏側に接触する位置で保持可能となり、極めて利便性が高い。【００１１】図４は、請求項３の構成の、断面図を示す。支持片２の替りに、本体１の側面に設けた貫通穴８に、ピン７を差し込む事で、箱型ティッシュボックス５を所定の高さに保持する。貫通穴８を縦長に装置し、ピン７を縦穴の幅よりも若干太く構成すれば、ピンは摩擦により所定の高さで止まる為、請求項１または２の構成と同様の目的を達成できる。
【産業上の利用可能性】
【００１２】本発明品によれば、樹脂で一体成形が可能な極めて簡単な構成でありながら、支持片が箱型ティッシュボックスの側面を保持し、箱の厚さに関係なく、常に上部の位置に保持できる為、ティッシュペーパーが取り出し易く、極めて利便性が高い。
【図面の簡単な説明】
【００１３】
【図１】本発明品の斜視図を表す。
【図２】本発明品の断面図で、製造状態を表す。
【図３】本発明品の断面図で、使用状態を表す。
【図４】本発明品の断面図で、請求項３の構成を表す。
【符号の説明】
【００１４】      １、本発明品の本体
２、支持片
３、一体成形されたヒンジ
４、ティッシュペーパー取り出し用の貫通穴
５、市販の、箱型ティッシュペーパー
６、リブ
７、ピン
８、貫通穴
【図１】
2007289597.tif 000003
【図２】
2007289597.tif 000004
【図３】
2007289597.tif 000005
【図４】
2007289597.tif 000006